(57)【要約】【課題】コントラストの低下を抑制可能な電気泳動表示装置等を提供する。【解決手段】消去ステップが行われる際、まず、正方向に立ちあがる印加時間Ｔ１，電圧値Ｖ１のパルス状電圧が、一定間隔毎に（時間Ｔ３毎に）、Ｎ１回印加される。そして、この第１の電圧の印加が終了してから時間Ｔ３経過後、正方向に立ち上がる印加時間Ｔ１，電圧値Ｖ２のパルス状電圧が、一定間隔毎に（時間Ｔ３毎に）、Ｎ２回印加される。また、書き込みステップが行われる際、まず、負方向に立ちあがる印加時間Ｔ１，電圧値−Ｖ１のパルス状電圧が、一定間隔毎に（時間Ｔ３毎に）、Ｎ１回印加される。そして、この電圧の印加が終了してから時間Ｔ３経過後、負方向に立ち上がる印加時間Ｔ１，電圧値−Ｖ２のパルス状電圧が、一定間隔毎に（時間Ｔ３毎に）、Ｎ２回印加される。【選択図】図５
2008256987.tif 000002
【特許請求の範囲】
【請求項１】
第１の電極と、当該第１の電極の対向位置に配置される第２の電極とを備え、帯電粒子と当該帯電粒子を分散させる分散媒とを少なくとも含む電気泳動インクが当該第１の電極と当該第２の電極との間に配設される電気泳動表示パネルと、
前記電気泳動表示パネルの前記第１の電極と前記第２の電極とに対して電圧を印加する印加手段と、を備え、
前記印加手段は、前記電気泳動表示パネルの表示変更に際し、所定の電圧を複数回印加した後に当該所定の電圧よりも小さい電圧を複数回印加することを特徴とする電気泳動表示装置。
【請求項２】
前記印加手段は、前記所定の電圧の印加回数を前記小さい電圧の印加回数よりも多くすることを特徴とする請求項１記載の電気泳動表示装置。
【請求項３】
前記印加手段は、前記所定の電圧および前記小さい電圧を一定間隔で印加することを特徴とする請求項１記載の電気泳動表示装置。
【請求項４】
前記印加手段は、前記所定の電圧および前記小さい電圧における各々の印加時間を略一定とすることを特徴とする請求項１記載の電気泳動表示装置。
【請求項５】
第１の電極と、当該第１の電極の対向位置に配置される第２の電極とを備え、帯電粒子と当該帯電粒子を分散させる分散媒とを少なくとも含む電気泳動インクが当該第１の電極と当該第２の電極との間に配設される電気泳動表示パネルを制御する制御装置であって、
前記電気泳動表示パネルの表示変更に際し、前記第１の電極と前記第２の電極とに所定の電圧を複数回印加した後に当該所定の電圧よりも小さい電圧を複数回印加することを特徴とする制御装置。
【請求項６】
前記制御装置は、前記所定の電圧の各々の印加時間の加算値を、前記小さい電圧の各々の印加時間の加算値よりも大きくすることを特徴とする請求項５記載の制御装置。
【請求項７】
第１の電極と、当該第１の電極の対向位置に配置される第２の電極とを備え、帯電粒子と当該帯電粒子を分散させる分散媒とを少なくとも含む電気泳動インクが当該第１の電極と当該第２の電極との間に配設される電気泳動表示パネルにおける表示変更方法であって、
前記電気泳動表示パネルの前記第１の電極と前記第２の電極とに所定の電圧を複数回印加した後に当該所定の電圧よりも小さい電圧を複数回印加することを特徴とする表示変更方法。
【請求項８】
第１の電極と、当該第１の電極の対向位置に配置される第２の電極とを備え、帯電粒子と当該帯電粒子を分散させる分散媒とを少なくとも含む電気泳動インクが当該第１の電極と当該第２の電極との間に配設される電気泳動表示パネルを制御するコンピュータ装置に、
前記電気泳動表示パネルの表示変更に際し、前記第１の電極と前記第２の電極とに所定の電圧を複数回印加した後に当該所定の電圧よりも小さい電圧を複数回印加する機能を実現させるためのプログラム。
【発明の詳細な説明】
【技術分野】
【０００１】
本発明は、電気泳動現象等を利用した電気泳動表示装置等に関するものである。
【背景技術】
【０００２】
文字や図形などを表示する電気泳動表示装置として、例えば、スペーサーなどを介して対向配置された少なくとも一方が透明な一対の電極と、帯電粒子を含み電極間に封入される表示用液と、から構成されたものが知られている（例えば、特許文献１参照）。
【０００３】
【特許文献１】米国特許第３６１２７５８号公報
【発明の開示】
【発明が解決しようとする課題】
【０００４】
ここで、電気泳動表示装置においては、電極に対して電圧が印加されることで帯電粒子が移動し、表示の変更が行われる。ところで、電気泳動表示装置においては、表示変更の実行回数や時間の経過などに応じてコントラストが低下する傾向にある。そして、コントラストが低下すると表示の鮮明さが失われ、表示品位が低下してしまう。
本発明は、以上のような技術的課題を解決するためになされたものであり、その目的とするところは、コントラストの低下を抑制可能な電気泳動表示装置等を提供することにある。
【課題を解決するための手段】
【０００５】
かかる目的のもと、本発明が適用される電気泳動表示装置は、第１の電極と、第１の電極の対向位置に配置される第２の電極とを備え、帯電粒子と帯電粒子を分散させる分散媒とを少なくとも含む電気泳動インクが第１の電極と第２の電極との間に配設される電気泳動表示パネルと、電気泳動表示パネルの第１の電極と第２の電極とに対して電圧を印加する印加手段と、を備え、印加手段は、電気泳動表示パネルの表示変更に際し、所定の電圧を複数回印加した後に所定の電圧よりも小さい電圧を複数回印加することを特徴とする。
【０００６】
ここで、印加手段は、所定の電圧の印加回数を小さい電圧の印加回数よりも多くすることを特徴とすることができる。また、印加手段は、所定の電圧および小さい電圧を一定間隔で印加することを特徴とすることができる。さらに、印加手段は、所定の電圧および小さい電圧における各々の印加時間を略一定とすることを特徴とすることができる。
【０００７】
また、本発明を制御装置として捉えた場合、本発明が適用される制御装置は、第１の電極と、第１の電極の対向位置に配置される第２の電極とを備え、帯電粒子と帯電粒子を分散させる分散媒とを少なくとも含む電気泳動インクが第１の電極と第２の電極との間に配設される電気泳動表示パネルを制御する制御装置であって、電気泳動表示パネルの表示変更に際し、第１の電極と第２の電極とに所定の電圧を複数回印加した後に所定の電圧よりも小さい電圧を複数回印加することを特徴とする。
ここで、制御装置は、所定の電圧の各々の印加時間の加算値を、小さい電圧の各々の印加時間の加算値よりも大きくすることを特徴とすることができる。
【０００８】
さらに、本発明を表示変更方法として捉えた場合、本発明が適用される表示変更方法は、第１の電極と、第１の電極の対向位置に配置される第２の電極とを備え、帯電粒子と帯電粒子を分散させる分散媒とを少なくとも含む電気泳動インクが第１の電極と第２の電極との間に配設される電気泳動表示パネルにおける表示変更方法であって、電気泳動表示パネルの第１の電極と第２の電極とに所定の電圧を複数回印加した後に所定の電圧よりも小さい電圧を複数回印加することを特徴とする。
【０００９】
さらに、本発明をプログラムとして捉えた場合、本発明が適用されるプログラムは、第１の電極と、第１の電極の対向位置に配置される第２の電極とを備え、帯電粒子と帯電粒子を分散させる分散媒とを少なくとも含む電気泳動インクが第１の電極と第２の電極との間に配設される電気泳動表示パネルを制御するコンピュータ装置に、電気泳動表示パネルの表示変更に際し、第１の電極と第２の電極とに所定の電圧を複数回印加した後に所定の電圧よりも小さい電圧を複数回印加する機能を実現させる。
【発明の効果】
【００１０】
本発明によれば、本構成を採用しない場合に比べ、コントラストの低下を抑制可能な電気泳動表示装置等を提供することができる。
【発明を実施するための最良の形態】
【００１１】
以下、添付図面を参照して、本発明の実施形態について詳細に説明する。
図１は、本実施形態に係る電気泳動表示装置１を示す概略構成図である。
同図に示す電気泳動表示装置１は、電界の作用により可逆的に視認状態を変化させることが可能な表示装置である。この電気泳動表示装置１は、電気泳動表示パネル１０と、この電気泳動表示パネル１０を制御する制御装置２０とから概略構成されている。なお、このような電気泳動表示装置１は、例えば、時計、カレンダー、電子ペーパー、スーパーマーケット、コンビニエンスストアなどにおいて使用される電子棚札などに用いられる。
【００１２】
詳細は後述するが、電気泳動表示パネル１０は、共通電極１３、画素電極１４、および帯電粒子を分散させた電気泳動インク１５などから構成され、文字、数字、図形などの表示を行う。
制御装置２０は、ドライバ３０と、制御部４０とを主要部として備えている。
ドライバ３０には、不図示の電源部から電圧が印加された状態となっており、また、ドライバ３０には、複数のスイッチング部が設けられた状態となっている。なお、ドライバ３０の詳細については後述する。
【００１３】
制御部４０は、ＣＰＵ（Central Processing Unit）や、プログラム等が記録されるＲＯＭ（Read Only Memory）等を備え、ドライバ３０を介して、電気泳動表示パネル１０を制御する。なお、制御部４０は印加手段の１つとして機能する。また、本電気泳動表示装置１の外部にホストコンピュータなどの制御端末が別途設けられた場合、制御部４０は、インターフェース部（不図示）を介し、この制御端末との通信を行う。
【００１４】
次に、電気泳動表示パネル１０およびドライバ３０について詳細に説明する。
図２は、電気泳動表示パネル１０およびドライバ３０について説明する図である。なお、本図においては、図１で示した制御部４０の図示を省略している。
【００１５】
本実施形態における電気泳動表示パネル１０は、電界の向きを制御することにより所望の表示を得ることが可能なパネルである。また、本電気泳動表示パネル１０は、製造コストが低い、視野角が通常の印刷物並に広いなどの長所を有している。さらに、本電気泳動表示パネル１０は、電力を加えないでも表示が維持される表示のメモリー性を備えており、この結果、消費電力が小さいというメリットを有している。
【００１６】
より詳細に説明すると、本実施形態における電気泳動表示パネル１０は、基板１１と、対向基板１２と、共通電極１３と、画素電極１４と、帯電粒子を分散させた電気泳動インク１５とを備えている。また、電気泳動表示パネル１０は、基板１１と対向基板１２との間にこれら基板間の隙間を規定値に保つための隙間材（不図示）と、基板１１および対向基板１２の端部に上記電気泳動インク１５の外部への漏れだしを防止する封止材（不図示）とを備えている。
【００１７】
基板１１は、電気泳動表示パネル１０のベースとなる部材であるとともに、画素電極１４等の部材を支持する機能を有している。
対向基板１２は、基板１１と同様に電気泳動表示パネル１０のベースとなる部材である。また、対向基板１２は、電気泳動インク１５を挟んで基板１１の対向位置に配設される。さらに、対向基板１２は、基板１１に所定の隙間を介して貼着された状態となっている。また、対向基板１２は、共通電極１３等の部材を支持する機能を有している。
【００１８】
第１の電極の一例としての共通電極１３は、対向基板１２の内面全体にわたり形成されている。また、この共通電極１３には、ドライバ３０から所定の電圧が印加される構成となっている。
第２の電極の一例としての画素電極１４は、基板１１の内面且つ共通電極１３の対向位置に、複数設けられている。また、画素電極１４には、共通電極１３と同様にドライバ３０から所定の電圧が印加される構成となっている。
【００１９】
ここで、電気泳動表示パネル１０においては、少なくとも一方側が表示面（観測面）となる。このため、表示面側における基板および電極については透明であることが必要である。なお、この透明とは半透明や有色透明も含む概念である。そこで、本実施形態においては、上記対向基板１２および共通電極１３を透明な材料を用いる構成としている。なお、本実施形態においては、対向基板１２および共通電極１３を透明な材料を用い対向基板１２側を表示面とする構成としたが、基板１１および画素電極１４についても透明な材料を用いれば他方側も表示面とすることができる。また、電気泳動表示パネル１０に対して可撓性が求められる場合、基板１１および対向基板１２には、フィルム状あるいはシート状の樹脂基板が用いられる。
【００２０】
基板１１および対向基板１２には、例えば樹脂材料を用いることができる。なお、表示面側に位置する対向基板１２のように透明性が要求される場合、ポリエチレンテレフタレート（ＰＥＴ）、ポリエーテルスルホン（ＰＥＳ）、ポリカーボネート（ＰＣ）などが用いられる。
共通電極１３および画素電極１４には、例えばアルミニウムや銅などの一般的な導電材料を用いることができる。なお、表示面側に位置する共通電極１３のように透明性が要求される場合、例えば、ＩＴＯ（インジウムスズ酸化物）等の導電性酸化物などが用いられる。この導電性酸化物は、画素電極１４に対して用いることももちろん可能である。
電気泳動インク１５は、基板１１と対向基板１２との間に封入された状態となっている。また、この電気泳動インク１５は、正に帯電した白粒子１５ａと、負に帯電した黒粒子１５ｂと、これらの粒子を分散させる分散媒１５ｃとから構成されている。
【００２１】
帯電粒子の一例としての白粒子１５ａには、例えば酸化チタン等の白色顔料や、白色の樹脂粒子、または白色に着色された樹脂粒子等を用いることができる。
帯電粒子の一例としての黒粒子１５ｂには、例えばチタンブラック、カーボンブラック等の黒色顔料や、黒色に着色された樹脂粒子等を用いることができる。
また、これら粒子は、コントラスト表示可能な範囲で様々な色の粒子を任意に用いることも可能であり、白と赤、白と青、黄色と黒などのような組合せとすることもできる。また、本実施形態においては、白粒子１５ａと黒粒子１５ｂの２種類の帯電粒子を用いているが、１種類の帯電粒子のみを用いる構成とすることもできる。
分散媒１５ｃには、従来より電気泳動表示に用いられている種々の低誘電率有機溶媒などを用いることが可能であり、また、分散媒１５ｃには、分散剤や電荷制御剤等の添加剤を添加して用いることもできる。
【００２２】
ドライバ３０は、制御部４０からの命令を受け共通電極１３および各画素電極１４に電圧を印加する。なお、ドライバ３０は印加手段の１つとして機能する。また、ドライバ３０は、不図示の電源部から印加された３種類の電圧（Ｖ１，Ｖ２，Ｖｓ）から一の電圧を選択可能とする複数のスイッチング部（不図示）を備えるとともに、各スイッチング部に対応して設けられた複数の出力端子（不図示）を備えている。各スイッチング部にて選択された一の電圧は、出力端子を介して共通電極１３および画素電極１４に印加される。ここで、本実施形態においては、ドライバ３０に、例えば、電圧Ｖ１として５０［Ｖ］が、電圧Ｖ２として３５［Ｖ］が、電圧Ｖｓとして０［Ｖ］（接地電圧）が印加された状態となっている。
【００２３】
次に、本実施形態における電気泳動表示パネル１０の動作について説明する。
図３は、電気泳動表示パネル１０の動作を説明するための図である。
本実施形態における共通電極１３および画素電極１４には、上述のとおり、ドライバ３０から電圧が印加される。電圧の印加方法にはいくつかの手法が提案されているが、本実施形態においては、画素電極１４のみならず共通電極１３に対しても電圧を選択的に印加する所謂コモン振りを採用している。
【００２４】
まず、本実施形態における電気泳動表示パネル１０にて表示を行う場合、例えば、全体を白表示とするリセット動作が実行され、次いで表示動作が実行される。そして、表示動作がなされた後、表示が変更される表示変更動作が繰り返される。
リセット動作を行う場合、図３（ａ）に示すように、共通電極１３に対して電圧Ｖｓ（＝０［Ｖ］）が印加され、全ての画素電極１４に対して電圧Ｖ１（＝５０［Ｖ］）が印加される。この結果、画素電極１４から共通電極１３に向かう電界が発生し、正に帯電した白粒子１５ａは共通電極１３に向かって移動し、負に帯電した黒粒子１５ｂは画素電極１４に向かって移動する。このため、表示面側に位置する共通電極１３側に白粒子１５ａが位置し、全体が白表示となる。なお、リセット動作が行われる際、上記電圧Ｖｓおよび電圧Ｖ１は、約０．５秒印加される。また、本実施形態においては、正に帯電した白粒子１５ａ、負に帯電した黒粒子１５ｂを用いているが、このような帯電状態は一例であり、白粒子１５ａを負に帯電させることもできるし、黒粒子１５ｂを正に帯電させることもできる。
【００２５】
次いで、表示動作が実行される。ここでは、一部が黒表示となる場合の動作について説明する。白表示の一部を黒表示とする場合、図３（ｂ）に示すように、共通電極１３に対して電圧Ｖ１（＝５０［Ｖ］）が印加される。また、黒表示を行おうとする領域に対応した画素電極１４（図中中央の画素電極１４）に対して電圧Ｖｓ（＝０［Ｖ］）、表示の変更を行わない領域（表示を維持する領域）に対応した画素電極１４（図中両端の画素電極１４）に電圧Ｖ１（＝５０［Ｖ］）が印加される。
【００２６】
この結果、電圧Ｖｓ（＝０［Ｖ］）が印加された画素電極１４と共通電極１３との間に共通電極１３から画素電極１４に向かう電界が発生し、この電界が発生した部分において黒表示がなされる。また、電圧Ｖ１（＝５０［Ｖ］）が印加された画素電極１４と共通電極１３とはほぼ等電位となる。即ち、電界の強度が実質的にゼロとなる。このため、白粒子１５ａおよび黒粒子１５ｂの移動が抑制されこの部分においては黒表示がなされず、白表示のまま維持される。そして、このような表示動作がなされた後、表示が変更される表示変更動作が繰り返されていく。
【００２７】
次に、表示変更動作について説明する。本実施形態における表示変更動作は、消去を要する黒表示を白表示へと変更するステップ（以下、「消去ステップ」と称する）と、白表示を黒表示へと変更するステップ（以下、「書き込みステップ」と称する）の２ステップにより構成される。なお、この２つのステップは、消去ステップの方が、書き込みステップより先に行われる。
【００２８】
図４は、表示変更動作を説明するための図である。
図４（ａ）は、消去ステップにおける電気泳動表示パネル１０の状態を示している。
この消去ステップにおいては、共通電極１３に電圧Ｖｓ（＝０［Ｖ］）が印加され、白表示へと変更する領域（表示を消去する領域）に対応した画素電極１４に電圧Ｖ１（＝５０［Ｖ］）が印加される。また、白表示への変更を行う領域以外の領域（表示状態を維持する領域）に対応した画素電極１４には電圧Ｖｓ（＝０［Ｖ］）が印加される。この結果、所定領域が白表示へと変更されるとともに、この所定領域以外の領域においては、表示状態が維持される。
【００２９】
例えば、図中中央の黒表示を白表示へと変更し表示の消去を行う場合、共通電極１３に電圧Ｖｓ（＝０［Ｖ］）が印加され、図中中央の画素電極１４に電圧Ｖ１（＝５０［Ｖ］）が印加される。この結果、図中中央の黒表示は白表示へと変更される。また、図中両端の画素電極１４には、共通電極１３に印加される電圧と同じ電圧Ｖｓ（＝０［Ｖ］）が印加され、この両端に位置する画素電極１４に対応した領域においては、表示状態が維持される。
【００３０】
次に、書き込みステップについて説明する。
図４（ｂ）は、書き込みステップにおける電気泳動表示パネル１０の状態を示している。
書き込みステップにおいては、共通電極１３に電圧Ｖ１（＝５０［Ｖ］）が印加され、黒表示へと変更する領域に対応した画素電極１４に電圧Ｖｓ（＝０［Ｖ］）が印加される。また、黒表示への変更を行う領域以外の領域（表示状態を維持する領域）に対応した画素電極１４に電圧Ｖ１（＝５０［Ｖ］）が印加される。この結果、所定領域が黒表示へと変更されるとともに、この所定領域以外の領域においては、表示状態が維持される。
【００３１】
例えば、図中右端の白表示を黒表示へと変更し書き込みを行う場合、共通電極１３に電圧Ｖ１（＝５０［Ｖ］）が印加され、図中右端の画素電極１４に電圧Ｖｓ（＝０［Ｖ］）が印加される。この結果、図中右端の白表示は黒表示へと変更される。また、図中中央および左端の画素電極１４には、共通電極１３に印加される電圧と同じ電圧Ｖ１（＝５０［Ｖ］）が印加され、図中中央および左端に位置する画素電極１４に対応した領域においては、表示状態が維持される。
【００３２】
ところで、本実施形態のような電気泳動表示装置では、一般的に、表示変更動作の実行回数や、電気泳動表示パネルの使用時間などに応じてコントラストが低下する傾向にある。このため、当初鮮明な表示が可能であったとしても徐々に鮮明さが失われ、表示品位が低下してしまう。そこで、本発明者は、共通電極１３および画素電極１４に対し様々な形態の電圧を印加するとともにコントラストを観察する実験を行った。そして、本発明者は、この実験により、コントラストの低下を抑制可能な電圧の印加形態を見出した。以下、この印加形態について説明する。
【００３３】
図５は、消去ステップおよび書き込みステップにおいて、共通電極１３および画素電極１４に印加される電圧を示したものである。なお、本図においては、印加電圧（Ｖ）を、画素電極１４から共通電極１３に向かって電界が形成される場合を正で示し、共通電極１３から画素電極１４に向かって電界が形成される場合を負で示している。
【００３４】
同図に示すように、本実施形態においては、消去ステップが行われる際、従来のように休み無く電圧を印加するのではなく、電圧を分割して印加するとともに、最初に所定の電圧（以下、この電圧を「第１の電圧」と称する。）を複数回印加した後、この所定の電圧よりも小さい電圧（以下、この電圧を「第２の電圧」と称する。）を複数回印加する構成としている。また、書き込みステップにおいても同様であり、休み無く電圧を印加するのではなく、電圧を分割して印加するとともに、最初に第１の電圧を複数回印加した後、第２の電圧を複数回印加する構成としている。
【００３５】
より詳細には、消去ステップが行われる際、まず、正方向に立ちあがる印加時間Ｔ１，電圧値Ｖ１（本実施形態では、５０［Ｖ］）のパルス状電圧（第１の電圧）が、一定間隔毎に（時間Ｔ３毎に）、Ｎ１回印加される。そして、この第１の電圧の印加が終了してから時間Ｔ３経過後、正方向に立ち上がる印加時間Ｔ１，電圧値Ｖ２（本実施形態では、３５［Ｖ］）のパルス状電圧（第２の電圧）が、一定間隔毎に（時間Ｔ３毎に）、Ｎ２回印加される。
また、書き込みステップが行われる際、まず、負方向に立ちあがる印加時間Ｔ１，電圧値−Ｖ１（本実施形態では、−５０［Ｖ］）のパルス状電圧（第１の電圧）が、一定間隔毎に（時間Ｔ３毎に）、Ｎ１回印加される。そして、この電圧の印加が終了してから時間Ｔ３経過後、負方向に立ち上がる印加時間Ｔ１，電圧値−Ｖ２（本実施形態では、−３５［Ｖ］）のパルス状電圧（第２の電圧）が、一定間隔毎に（時間Ｔ３毎に）、Ｎ２回印加される。詳細は後述するが、本実施形態における電圧の印加形態により、休み無く電圧を印加する従来の印加形態に比べ、コントラストの低下を抑制することが可能となる。
【００３６】
以下、実施例および比較例を用いて本実施形態において印加される電圧をより詳細に説明する。まず、本発明者は、図５で示した態様の電圧を印加し、コントラスト値等を取得した（実施例１〜４）。一方で、本発明者は、休み無く印加される従来の態様等にて電圧の印加を行い、コントラスト値等を取得した（比較例）。ここで、図６、図７を用いて実施例１〜４および比較例における実験条件を詳細に説明する。
【００３７】
図６は、実施例１〜４、比較例における実験条件を模式的に示したものである。また、図７は、消去ステップが行われる際に印加される電圧を示したものである。
【００３８】
まず、実施例１〜４における実験条件について説明する。
（Ａ１）まず、図６（ａ）の左方に示すように、電気泳動表示パネル１０において所定の表示を行った。
（Ａ２）Ａ１にて所定の表示を行った後、電気泳動表示パネル１０における所定の表示領域Ａに対応した共通電極１３および画素電極１４（以下、これらの電極を「対応電極」と称する。）に対し電圧を印加し、１回目の消去ステップを実行した。この結果、黒表示となされていた表示領域Ａは、白表示となる。
【００３９】
（Ａ３）次いで、対応電極に対し電圧を印加することで、１回目の書き込みステップを実行した。この結果、白表示となされていた表示領域Ａは、黒表示となる。
（Ａ４）その後、上記Ａ２、Ａ３において印加した電圧を１つの電圧印加単位とし、この電圧印加単位を複数回繰り返していった。そして、１０００回目における消去ステップが終了した後、表示領域Ａにて任意の３点を選び、この３点においてＸＹＺ表色系のＹ値（以下、この「ＸＹＺ表色系のＹ値」を単に「Ｙ値」と称する。）を測定した。そして、測定した３つのＹ値の平均値を取得した。なお、１０００回目の消去ステップが終了した際、表示領域Ａは、白表示となっているため、本ステップでは、白表示におけるＹ値が取得されることになる。
【００４０】
（Ａ５）次いで、１０００回目における書き込みステップが終了した後、Ａ４にて選択した任意の３点とほぼ同じ箇所にてＹ値を取得した。そして、測定した３つのＹ値の平均値を取得した。１０００回目の書き込みステップが終了した際、表示領域Ａは、黒表示となっているため、本ステップでは、黒表示におけるＹ値が取得されることになる。
（Ａ６）その後、上記１単位をさらに繰り返していき、２０００回目の消去ステップ終了後において上記Ａ４の処理を行うとともに、２０００回目の書き込みステップ終了後において上記Ａ５の処理を実行し、白表示におけるＹ値、黒表示におけるＹ値を取得した。さらに、３０００回目、４０００回目においても同様に、白表示におけるＹ値、黒表示におけるＹ値を取得した。
【００４１】
（Ａ７）その後、除算、［Ａ４にて取得したＹ値（白）の平均値］／［Ａ５にて取得したＹ値（黒）の平均値］を行い、１０００回目の消去ステップおよび書き込みステップ（１０００回目の電圧印加）が終了した際におけるコントラスト値を取得した。また、同様に除算を行い、２０００回目の消去ステップおよび書き込みステップが終了した際におけるコントラスト値を取得した。さらに、３０００回目、４０００回目についても同様にコントラスト値を取得した。
【００４２】
（Ａ８）また、本発明者は、〔（４０００回目におけるコントラスト値）／（１０００回目におけるコントラスト値）〕×１００〔％〕という計算式を用い、コントラスト値の低下度合いを調査した。
（Ａ９）なお、実施例１における消去ステップでは、図７（ａ１）に示すように、まず、印加時間Ｔ１＝５０［msec］，Ｖ１＝電圧値５０［Ｖ］のパルス状電圧（第１の電圧）を、１０［msec］おきに６回印加した。そして、この６回の電圧印加が終了してから１０［msec］経過後、１０［msec］おきに、印加時間Ｔ１＝５０［msec］，Ｖ２＝電圧値３５［Ｖ］のパルス状電圧（第２の電圧）を４回印加した。なお、本実施例１における書き込みステップでは、消去ステップにおいて印加した電圧を正負逆転させたものを印加した。
【００４３】
また、実施例２（図７（ａ２）参照）における消去ステップでは、印加時間Ｔ１＝５０［msec］，電圧値Ｖ１＝５０［Ｖ］のパルス状電圧（第１の電圧）を、１０［msec］おきに８回印加した。そして、この８回の電圧印加が終了してから１０［msec］経過後、１０［msec］おきに、印加時間Ｔ１＝５０［msec］，電圧値Ｖ２＝３５［Ｖ］のパルス状電圧（第２の電圧）を、２回印加した。即ち、本実施例２では、第１の電圧の印加回数を実施例１よりも２回多くし、第２の電圧の印加回数を実施例１よりも２回少なくした。なお、本実施例２における書き込みステップでは、本図に示した電圧を正負逆転させたものを印加した。
【００４４】
また、実施例３（図７（ａ３）参照）における消去ステップでは、印加時間Ｔ１＝５０［msec］，電圧値Ｖ１＝５０［Ｖ］のパルス状電圧（第１の電圧）を、１０［msec］おきに４回印加した。そして、この４回の電圧印加が終了してから１０［msec］経過後、１０［msec］おきに、印加時間Ｔ１＝５０［msec］，電圧値Ｖ２＝３５［Ｖ］のパルス状電圧（第２の電圧）を６回印加した。即ち、本実施例３では、第１の電圧の印加回数を実施例１よりも２回少なくし、第２の電圧の印加回数を実施例１よりも２回多くした。なお、本実施例３における書き込みステップでは、本図に示した電圧を正負逆転させたものを印加した。
【００４５】
さらに、実施例４（図７（ａ４）参照）における消去ステップにおいては、印加時間Ｔ１＝５０［msec］，電圧値Ｖ１＝５０［Ｖ］のパルス状電圧（第１の電圧）を、１０［msec］おきに２回印加した。そして、この２回の電圧印加が終了してから１０［msec］経過後、１０［msec］おきに、印加時間Ｔ１＝５０［msec］，電圧値Ｖ２＝３５［Ｖ］のパルス状電圧（第２の電圧）を、８回印加した。即ち、本実施例４では、第１の電圧の印加回数を実施例１よりも４回少なくし、第２の電圧の印加回数を実施例１よりも４回多くした。なお、本実施例４における書き込みステップでは、本図に示した電圧を正負逆転させたものを印加した。
【００４６】
次に、比較例における実験条件について説明する。
（Ｂ１）比較例では、上記にて説明したＡ１〜Ａ８と同様の処理を実行した。
（Ｂ２）但し、比較例では、図７（ｂ１）に示すように、５０［Ｖ］の電圧を連続的に５００［msec］印加する構成とした。即ち、電圧を休み無く（電圧の印加を中断することなく）印加する構成とした。なお、本比較例における書き込みステップでは、消去ステップにおいて印加した電圧を正負逆転させたものを印加した。
【００４７】
なお、上記実施例１〜４および比較例に共通する条件は、下記の通りである。
・白粒子１５ａ…酸化チタン（平均直径０．３〜０．５μｍ）
・黒粒子１５ｂ…カーボンブラックで着色されたアクリル樹脂粒子（平均直径５μｍ）
・分散媒１５ｃ…キシレン
・共通電極１３と画素電極１４との間隙…５０μｍ
・Ｙ値の測定方法
・以下の条件の下、ＪＩＳ  Ｚ８７２２に準拠した方法にて測定した。
・測定機器…スガ試験機株式会社  MSC-IS-2B
・光源…１２Ｖ５０Ｗハロゲンランプ
・測色条件…Ｄ６５光  １０°視野
・測定領域…５φ
・標準白色面…付属の白色標準板
【００４８】
ここで、実施例１〜４および比較例におけるコントラスト値等について、図８および図９を用いて説明する。
図８は、実施例１〜４および比較例におけるコントラスト値等を示したものである。図８（ａ）は、白表示および黒表示におけるＹ値を示し、図８（ｂ）は、コントラスト値を示し、図８（ｃ）は、コントラストの低下度合いを示している。また、図９は、図８（ｂ）におけるコントラスト値をグラフとして示したものである。なお、図８（ａ）では、白表示におけるＹ値を「Ｙ値（白）」と表示し、黒表示におけるＹ値を「Ｙ値（黒）」と表示している。
【００４９】
まず、図８（ｃ）を参照すると、比較例では、４０００回目の電圧印加終了後におけるコントラスト値が、１０００回目の電圧印加終了後におけるコントラスト値の５２．８％となり、コントラストが大幅に低下することが判明した。
これに対し、実施例１〜４においては、いずれも比較例における値を大幅に上まわることが確認できた。このため、本実施形態における電圧の印加形態は、従来の印加形態に比べ、コントラストの低下を抑制することができる。この結果、本実施形態における電圧の印加形態は、従来よりも表示品位の低下を抑制することが可能となる。
【００５０】
次に、実施例１〜４、比較例におけるコントラスト値について説明する（図８（ｂ）、図９参照）。
まず、実施例１におけるコントラスト値は、１０００回目の電圧印加終了後において、比較例と同等の値となり、２０００回、３０００回、および４０００回目の電圧印加終了後において、比較例におけるコントラスト値よりも大きくなった。また、実施例２におけるコントラスト値も、１０００回目の電圧印加終了後において、比較例と同等の値となり、２０００回、３０００回、および４０００回目の電圧印加終了後において、比較例におけるコントラスト値よりも大きくなった。
【００５１】
その一方で、実施例３におけるコントラスト値は、２０００回目の電圧印加終了後において、比較例と同等の値となり、３０００回、および４０００回目の電圧印加終了後において、比較例におけるコントラスト値よりも大きくなった。しかしながら、１０００回目の電圧印加終了後においては、比較例におけるコントラスト値よりも小さくなった。また、実施例４も同様であり、２０００回目の電圧印加終了後において、比較例と同等の値となり、３０００回、および４０００回目の電圧印加終了後において、比較例におけるコントラスト値よりも大きくなった。しかしながら、１０００回目の電圧印加終了後においては、比較例におけるコントラスト値よりも小さくなった。
【００５２】
即ち、実施例１，２では、比較例におけるコントラスト値をほぼ上まわる結果が得られたが、実施例３，４では、１０００回目の電圧印加終了後において、比較例におけるコントラスト値を下回る結果が得られた。
実施例１，２と実施例３，４においては、印加回数の点において、第１の電圧の印加割合と第２の電圧の印加割合とが異なっている。実施例１，２では、第１の電圧の印加割合が第２の電圧の印加割合よりも大きく、実施例３，４では、第１の電圧の印加割合が第２の電圧の印加割合よりも小さくなっている。
【００５３】
換言すれば、実施例１，２では、第１の電圧の印加回数の方が第２の電圧の印加回数よりも多く、実施例３，４では、第１の電圧の印加回数の方が第２の電圧の印加回数よりも少なくなっている。さらに換言すれば、実施例１，２では、第１の電圧における各々の印加時間を加算した加算値の方が、第２の電圧における各々の印加時間を加算した加算値よりも大きく、実施例３，４では、第１の電圧における各々の印加時間を加算した加算値の方が、第２の電圧における各々の印加時間を加算した加算値よりも小さくなっている。
即ち、実施例１〜４、比較例の結果によれば、コントラスト値は、第１の電圧の印加割合と第２の電圧の印加割合の影響を受けることが分かる。そこで、コントラストを向上させるという観点からは、電圧の印加回数の点において、第１の電圧の印加割合を第２の電圧の印加割合よりも大きくすることが好ましい。換言すれば、第１の電圧の印加回数を第２の電圧の印加回数よりも多くすることが好ましい。
【００５４】
なお、実施例１〜４では、第１の電圧を一定間隔毎に印加し、また第２の電圧を一定間隔毎に印加する構成としている。このような構成とすることで、電圧を印加する際の制御をより簡易化することができる。また、実施例１〜４では、第１の電圧および第２の電圧が複数回印加される構成となっているが、この複数回印加における各々の印加時間を上述のとおりＴ１とし、一定としている。この結果、この場合も、電圧を印加する際の制御を簡易化することができる。なお、本実施形態では、最初に、第１の電圧が複数回印加される構成となっているが、本発明は、この複数回印加の前に他の電圧が印加される構成を排除するものではない。
【００５５】
上記実施形態では、制御部４０内に、印加時間Ｔ１などを管理するタイマー部（不図示）を設ける構成としている。ところで、制御部４０以外にタイマー部を設ける構成とすることもできる。以下、この点について説明する。
図１０は、複数台の電気泳動表示装置１により構成した表示システムの概略を示した概略構成図である。
同図に示すように、本表示システムは、ネットワークに接続された複数（本実施形態においては３つ）の電気泳動表示装置１と、同じくネットワークに接続され電気泳動表示装置１の各々を個別に制御する制御端末７０とから構成されている。
【００５６】
各電気泳動表示装置１は、図１で示した電気泳動表示装置１と同様に、電気泳動表示パネル１０と、制御装置２０とを備えている。また、制御装置２０は、ドライバ３０と、制御部４０とを備えている。また、本実施形態における制御装置２０は、制御部４０と制御端末７０とを接続し、制御部４０と制御端末７０の通信を可能とするインターフェース部５０を備えている。なお、各装置（各部）の構成、機能については、図１で示した電気泳動表示装置１と同様であるため、説明を省略する。
制御端末７０は、上述のとおり、電気泳動表示装置１の各々を個別に制御する。また、制御端末７０は、タイマー部（不図示）を備えている。
【００５７】
上記図１で示した電気泳動表示装置１においては、制御部４０の内部にタイマー部（不図示）を設け、このタイマー部を用いて上記印加時間Ｔ１等を管理していた。しかしながら、複数の電気泳動表示装置１を備えた表示システムの場合、各電気泳動表示装置１にタイマー部を設けてしまうと、システム全体のコストアップを招いてしまう。そこで、本実施形態においては、制御端末７０にタイマー部（不図示）を設け、この制御端末７０にて各電気泳動表示装置１における印加時間Ｔ１等を管理する構成としている。
【００５８】
また、電気泳動表示装置１は、家庭等で用いられる時計のように単一の形態で用いられるばかりでなく、スーパーマーケットやコンビニエンスストアなどの電子棚札のように、複数台の形態で用いられる場合がある。このように、複数台の電気泳動表示装置１が用いられる場合、各電気泳動表示装置１に対応して設けられた制御装置２０により、各電気泳動表示パネル１０を制御する形態とすると、管理上煩雑となる。そこで、本実施形態においては、各電気泳動表示装置１と、制御端末７０とをネットワークを介して接続し、制御端末７０により各電気泳動表示パネル１０を管理する構成としている。
【００５９】
なお、上記実施の形態で示したような処理を実行するプログラムは、記憶媒体、プログラム伝送装置の形態とすることもできる。すなわち、コンピュータ装置に実行させるプログラムを、ＣＤ−ＲＯＭ、ＤＶＤ、メモリ、ハードディスク等の記憶媒体に、コンピュータ装置が読み取り可能に記憶させることができる。また、プログラムを記憶させたＣＤ−ＲＯＭ、ＤＶＤ、メモリ、ハードディスク等の記憶手段と、この記憶手段からプログラムを読み出し、プログラムを実行する装置側に、コネクタ、あるいはインターネットやＬＡＮ等のネットワークを介してプログラムを伝送する伝送手段とを備えるプログラム伝送装置とすることもできる。これ以外にも、本発明の主旨を逸脱しない限り、上記実施の形態で挙げた構成を取捨選択したり、他の構成に適宜変更したりすることが可能である。
【図面の簡単な説明】
【００６０】
【図１】本実施形態に係る電気泳動表示装置を示す概略構成図である。
【図２】電気泳動表示パネルおよびドライバについて説明する図である。
【図３】電気泳動表示パネルの動作を説明するための図である。
【図４】表示変更動作を説明するための図である。
【図５】消去ステップおよび書き込みステップにおいて、共通電極および画素電極に印加される電圧を示したものである。
【図６】実施例１〜４、比較例における実験条件を模式的に示したものである。
【図７】消去ステップが行われる際に印加される電圧を示したものである。
【図８】実施例１〜４および比較例におけるコントラスト値等を示したものである。
【図９】図８（ｂ）におけるコントラスト値をグラフとして示したものである。
【図１０】複数台の電気泳動表示装置により構成した表示システムの概略を示した概略構成図である。
【符号の説明】
【００６１】
１０…電気泳動表示パネル、１３…共通電極、１４…画素電極、１５…電気泳動インク、１５ａ…白粒子、１５ｂ…黒粒子、１５ｃ…分散媒、２０…制御装置、３０…ドライバ、４０…制御部
【図１】
2008256987.tif 000003
【図２】
2008256987.tif 000004
【図３】
2008256987.tif 000005
【図４】
2008256987.tif 000006
【図５】
2008256987.tif 000007
【図６】
2008256987.tif 000008
【図７】
2008256987.tif 000009
【図８】
2008256987.tif 000010
【図９】
2008256987.tif 000011
【図１０】
2008256987.tif 000012